(57)【要約】  【課題】  受信者が利用者が作成した個別固有のメッセージを声の発信者から簡便に受け取ることができる配送システムを提供する。  【解決手段】  利用者側の端末装置１から、利用者が作成した固有のメッセージと、登録された複数の音声吹替者の中から選択された特定の音声吹替者情報と、受信者に関する情報とをサーバ装置２に送信し、サーバ装置２では利用者側から受け取ったメッセージを吹替者側の端末装置３に送信し、吹替者側の端末装置３から前記メッセージデータに基づいて吹き替えした音声メッセージ情報を前記サーバ装置２に送信し、サーバ装置２では、前記吹き替えメッセージを記録格納し、受信者の所在する近隣の配送代理店側の端末装置４に特定の受信者に対する音声吹替えメッセージがあることを通知し、配送代理店側の端末装置４でサーバ装置２から取込んだ吹替音声メッセージを記録媒体に記録固定する。  【選択図】  図１
2005190357.tif 000002
【特許請求の範囲】
【請求項１】
利用者側の端末装置と、音声メッセージを管理するサーバ装置と、音声の吹き替えを担当する吹替者側の端末装置とをネットワークを介して通信可能に接続し、
利用者側の端末装置から利用者が作成した固有のメッセージと、サーバ装置に登録された複数の音声吹替者の中から選択された特定の音声吹替者情報と、受信者に関する情報とをサーバ装置に送信し、サーバ装置では利用者側から受け取ったメッセージを、選択された吹替者側の端末装置に送信し、吹替者側の端末装置から、前記メッセージ情報に基づいて吹き替えした音声吹替えメッセージ情報を前記サーバ装置に送信し、サーバ装置において、前記吹替者による音声吹替えメッセージ情報を記憶し格納しておくことを特徴とするメッセージ配送システム。
【請求項２】
利用者側の端末装置と、音声メッセージを管理するサーバ装置と、音声の吹き替えを担当する吹替者側の端末装置とをネットワークを介して通信可能に接続し、
利用者側の端末装置から利用者が作成した固有の音声メッセージと、サーバ装置に登録された複数の音声吹替者の中から選択された特定の音声吹替者情報と、受信者に関する情報とをサーバ装置に送信し、サーバ装置では利用者側から受け取った音声メッセージ情報を文字情報データに変換して、その文字情報データを、選択された吹替者側の端末装置に送信し、吹替者側の端末装置から、前記文字情報データに基づいて吹き替えした音声メッセージ情報を前記サーバ装置に送信し、サーバ装置において、前記吹替者による音声メッセージ情報を記憶し格納しておくことを特徴とするメッセージ配送システム。
【請求項３】
前記サーバ装置と代理店側の端末装置とをネットワークを介して通信可能に接続し、前記サーバ装置から受信者の所在する近隣の代理店側の端末装置に特定の受信者に対する音声吹き替えメッセージ情報があることを通知し、代理店側の端末装置では、前記サーバ装置からの通知情報を受け取って、前記サーバ装置に格納された音声吹き替えメッセージ情報をダウンロードして受信者側に配送する記録媒体に記録固定することを特徴とする請求項１または２に記載のメッセージ配送システム。
【請求項４】
前記サーバ装置と受信者側の端末装置とをネットワークを介して通信可能に接続し、前記サーバ装置から利用者が指定した受信者側の端末装置に音声吹き替えメッセージ情報があることを通知することを特徴とする請求項１、２または３に記載のメッセージ配送システム。
【請求項５】
利用者の音声メッセージの吹き替えを担当する吹替者側の端末装置とをネットワークを介して通信可能に接続されるサーバ装置であって、
利用者側から受け取った音声メッセージ情報を文字情報に変換する音声・文書変換手段と、該変換された文字情報データを吹替者側の端末装置に送信する文字情報送信手段と、吹替者側の端末装置から吹き替えした音声メッセージ情報を受け取って格納する吹替メッセージ格納手段とを備えたことを特徴とするメッセージ管理用のサーバ装置。
【請求項６】
利用者の音声メッセージの吹き替えを担当する吹替者側の端末装置とをネットワークを介して通信可能に接続されるサーバ装置に搭載されるメッセージ管理用のプログラムであって、利用者が作成した固有の音声メッセージを文字情報データに変換し、その文字情報データを選択された吹替者側の端末装置に送信し、吹替者によって吹き替えした音声メッセージ情報を受信して記憶することを特徴とするメッセージ管理用プログラム。
【発明の詳細な説明】
【技術分野】
【０００１】
本発明は、利用者が作成した音声メッセージをネットワークを介して受信者側に配送するシステムに関するものである。
【背景技術】
【０００２】
お祝いなどの音声によるメッセージを受信者側に知らせるメッセージ配送システムとして、特許文献１には、メッセージ配送用シートに表記された録音用アクセスコードを用いて接続されたギフト贈答者端末によって送信された音声メッセージを録音用アクセスコードに基づいて記憶管理し、メッセージ配送用シートに表記された再生用アクセスコードを用いて接続されたギフト受取者端末からの要求に基づいて検索し、取得した音声メッセージを再生用アクセスコードを用いて接続されるギフト受取者端末に対して送信するシステムが開示されている。
【０００３】
また、特許文献２には、ギフト配送サービスについてのサービスＩＤで−他を作成し、宅配事業者端末からの要求に応じ、サービスＩＤのリストを宅配事業者端末へ向けて送信し、宅配事業者端末から発信されるサービス用宅配伝票番号とサービスＩＤのマッチングリストを受信し、マッチングリストについてのデータを作成し、贈答者端末から発信される発送伝票番号通知に応じ、配送完了伝票番号のサービスＩＤのメッセージを視聴する視聴要求を、受取者端末から受付可能にし、受取者端末からの受取伝票のサービスＩＤでのメッセージ視聴要求に応じ、メッセージを受取者端末へ向けて送信するメッセージ配送サービスが提案されている。
【特許文献１】特開２００２−１７６４９７公報
【特許文献２】特開２００３−２５６５６２公報
【発明の開示】
【発明が解決しようとする課題】
【０００４】
ところで、利用者からメッセージを受け取る受信者は、利用者の声をそのまま聞くことができるが、例えば、著名人の声でメッセージを受け取れば、より驚きと感動を受ける場合がある。
【０００５】
しかしながら、特許文献１，２のいずれも、このような音声を吹き替えて受信者に配送するといったシステムではなく、メッセージを受け取る受取者側にとって、より感動を与える配送システムの出現が望まれるところである。
【０００６】
本発明は、上記に鑑み、受信者にとって利用者が作成した個別固有のメッセージを声の発信者から簡便に受け取ることができる配送システムの提供を目的としている。
【課題を解決するための手段】
【０００７】
上記目的を達成するため、本発明は、利用者側の端末装置から利用者が作成した固有のメッセージと、サーバ装置に登録された複数の音声吹替者の中から選択された特定の音声吹替者情報と、受信者に関する情報とをサーバ装置に送信し、サーバ装置では利用者側から受け取ったメッセージ情報を選択された吹替者側の端末装置に送信し、吹替者側の端末装置から前記メッセージ情報に基づいて吹き替えした音声吹替えメッセージ情報を前記サーバ装置に送信し、サーバ装置において前記吹替者による音声吹替えメッセージ情報を記憶し格納しておくことを特徴とする。
【０００８】
上記構成によれば、利用者が嗜好する、例えば芸能人や著名人などの吹替者を選択し、利用者が個別固有のメッセージを作成し、ネットワーク経由で吹替者側に送信し、吹替者は時・場所を選ばずに通信回線を用いて音声をサーバ装置に蓄積することができる。
【０００９】
利用者側の端末装置からサーバ装置に送られるメッセージは、文字情報や音声情報など、各種媒体のものを採用することができる。また、利用者側から送られてきた音声情報と文字情報とを媒体別に受取ることができる。利用者側から送られてきた情報が音声情報の場合、音声情報を文字情報に変換して吹替え者側に送信するのが好ましい。
【００１０】
この場合、利用者側の端末装置から利用者が作成した固有の音声メッセージと、サーバ装置に登録された複数の音声吹替者の中から選択された特定の音声吹替者情報と、受信者に関する情報とをサーバ装置に送信し、サーバ装置では利用者側から受け取った音声メッセージ情報を文字情報データに変換して、その文字情報データを選択された吹替者側の端末装置に送信し、吹替者側の端末装置から前記文字情報データに基づいて吹き替えした音声メッセージ情報を前記サーバ装置に送信し、サーバ装置において前記吹替者による音声メッセージ情報を記憶し格納しておく。
【００１１】
そして、サーバ装置に蓄積された吹替者の音声情報は、種々の方法で受信者が簡便に受け取ることができる。例えば、サーバ装置と代理店側の端末装置とをネットワークを介して通信可能に接続し、前記サーバ装置から受信者の所在する近隣の代理店側の端末装置に特定の受信者に対する音声吹き替えメッセージ情報があることを通知し、代理店側の端末装置では、前記サーバ装置からの通知情報を受け取って、前記サーバ装置に格納された音声吹き替えメッセージ情報を取り込み、受信者側に配送する記録媒体に記録固定することもできる。
【００１２】
この構成によれば、メッセージ配送代理店において、ＣＤ−ＲＯＭ等の記録媒体に記録固定し、これを受信者に配送することができ、受信者は記録媒体を再生することにより、利用者が嗜好する著名人の声で利用者が作成した個別固有のメッセージを聞くことができる。
【００１３】
また、別の構成として、サーバ装置と受信者側の端末装置とをネットワークを介して通信可能に接続し、前記サーバ装置から利用者が指定した受信者側の端末装置に音声吹き替えメッセージ情報があることを通知する。
【００１４】
この構成によれば、受信者が受け取るメッセージの発信者（利用者）を特定でき、これに基づいてサーバ装置にアクセスすれば、利用者が嗜好する芸能人や著名人の声で利用者が作成した個別固有のメッセージを聞くことができる。
【発明の効果】
【００１５】
以上のとおり、本発明によると、利用者が作成した個別固有のメッセージを著名人などの吹替者によって吹き替えて、音声メッセージとして受信者側に配送することができ、受信者側にとって驚きと感動を与える「声の郵便」のビジネスモデルを提供することができる。
【発明を実施するための最良の形態】
【００１６】
以下、本発明の実施形態を図面に基づいて説明する。図１は本発明に係るメッセージ配送システムの概略を示すシステム構成図であって、その手順を時系列的に示すものである。
【００１７】
本実施形態のメッセージ配送システムは、利用者側の端末装置１と、メッセージを管理するサーバ装置２と、声の吹き替えを行う吹替者（声の発信者）の端末装置３と、メッセージ配送代理店の端末装置４と、受信者５とから構成される。
【００１８】
サーバ装置２は、Ｗｅｂサーバ２ａとデータベースサーバ２ｂと声の郵便自動音声録音システム２ｃとから構成され、互いに通信可能に接続される。そして、利用者側の端末装置１、サーバ装置２、吹替者の端末装置３、および代理店の端末装置４とは、サーバ装置２を中心としてネットワークで接続され、通信可能となっている。
【００１９】
利用者側の端末装置１は、パソコン、固定電話あるいは携帯電話など、各種情報の入出力が可能に情報機器から構成される。
【００２０】
サーバ装置２は、利用者側の端末装置１との間でユーザＩＤ・パスワードの認証および認証結果を通信する手段と、利用者側の端末装置１から送信された音声メッセージ情報を受け取り記憶する手段とを備えている。
【００２１】
さらに、サーバ装置２は、利用者の音声メッセージの吹き替えを担当する吹替者側の端末装置とネットワークを介して通信可能に接続され、利用者側の端末装置１から受け取った音声メッセージ情報を文字情報に変換する音声・文書変換手段と、該変換された文字情報データを吹替者側の端末装置３に送信する文字情報送信手段と、吹替者側の端末装置から吹き替えした音声メッセージ情報を受け取って格納する吹替メッセージ格納手段とを備えている。これにより、サーバ装置２は、利用者が作成した固有の音声メッセージを文字情報データに変換し、その文字情報データを選択された吹替者側の端末装置に送信し、吹替者によって吹き替えした音声メッセージ情報を受信して記憶する。
【００２２】
また、サーバ装置２は、代理店側の端末装置４とネットワークを介して通信可能に接続され、受信者（受取人）の所在する近隣の代理店側の端末装置４を検索する手段と、その検索結果に基づいて特定の受信者に対する音声吹き替えメッセージ情報があることを代理店側の端末装置４に通知する手段とを備えている。代理店側の端末装置４を検索する手段は、例えば、受信者の所在場所の郵便番号によって振り分けることができる。
【００２３】
代理店側の端末装置４は、前記サーバ装置２からの通知情報を受け取って、前記サーバ装置に格納された音声吹き替えメッセージ情報を取り込む手段と、取り込んだ音声吹き替えメッセージ情報を記録媒体に記録固定する手段とを備えている。
【００２４】
次に、上記構成のメッセージ配送システムを使ってメッセージを配送する方法について説明する。まず、利用者側の端末装置１から声の郵便Ｗｅｂサーバ２ａにアクセスする。アクセス方法は、利用者のパソコン、携帯電話など各種情報機器から行うことができる。利用者側の端末装置１からＷｅｂサーバ２ａへのアクセスにより、利用者の個人情報をＷｅｂサーバ２ａに登録する。
【００２５】
Ｗｅｂサーバ２ａでは、個人情報を登録した利用者を登録会員としてデータベースサーバ２ｂに登録する。サーバ装置２のＷｅｂサーバ２ａおよびデータベースサーバ２ｂでは、利用者のユーザＩＤ、パスワードを自動生成し、利用者の端末装置１のモニターに利用者のユーザＩＤ、パスワードを表示する。
【００２６】
このような利用者の初期登録が済めば、利用者はその端末装置１からサーバ装置２の自動音声録音システム２ｃにアクセスする。この場合のアクセス方法は、上記Ｗｅｂサーバ２ａのアクセス方法と同様に各種情報機器を使用して行うことができる。例えば、利用者の固定電話からユーザＩＤ、パスワードを入力する。自動音声録音システム２ｃでは、利用者から入力されたユーザＩＤ、パスワードとデータベースサーバ２ｂに登録された利用者のユーザＩＤ・パスワードとを認証し、符合すれば利用者からのメッセージ録音を受け付けるべく、利用者側の端末装置１に認証結果を送信する。
【００２７】
利用者は、自動音声録音システム２ｃからの応答を待って利用者が作成した個別固有の音声メッセージを送信する。自動音声録音システム２ｃでは、利用者側の端末装置１から送られてきた音声メッセージを録音し、音声メッセージが録音されたことを確認する確認メッセージを利用者側の端末装置１に通知する。次に、自動音声録音システム２ｃでは、音声アナログデータをデジタルデータに変換してデータベースサーバ２ｂに圧縮保管する。録音メッセージは、登録ユーザのＷｅｂブラウザに表示され、自動文章変換された内容が表示される。
【００２８】
次に、利用者は、Ｗｅｂサーバ２ａにアクセスする。この際、ユーザＩＤ、パスワードで会員の部屋にアクセスする。そして、利用者は、Ｗｅｂブラウザ上に表示された申込みメッセージ内容を確認し、申込みを行う。申込みの際には、利用者の情報（依頼者情報）と、吹替者（声の発信者）の選択、および送付先情報を入力する。吹替者の情報は、データベースサーバ２ｂに登録された複数の吹替者から、嗜好に応じて選択することができる。
【００２９】
Ｗｅｂサーバ２ａでは、利用者からの申込み確認後、内容の確認／修正を加えて、選択された吹替者（声の発信者）の端末装置３に転送する。吹替者は、携帯電話、パソコンなどの端末装置３からサーバ装置２にユーザＩＤ、パスワードを入力する。サーバ装置２では、声の発信者のユーザＩＤ、パスワードを確認後、自動文章変換された内容を声の発信者端末に転送する。
【００３０】
吹替者は、その端末に表示された文章化されたメッセージ内容に従ってサーバ装置２に音声吹き替えメッセージを送信する。サーバ装置２の自動音声録音システム２ｃでは、吹替者側から送られてきた音声を録音し、録音終了後に録音確認通知を吹替者側の端末装置３に送信する。
【００３１】
サーバ装置２では、吹替者の吹き替え録音が終了したならば、その音声アナログデータをデジタルデータに変換し、データベースサーバに保管する。その加工されたメッセージはり容赦のブラウザに再表示する。また、吹き替えメッセージをＣＤ−ＲＯＭなどの記録媒体に記録する代理店を送付先の郵便番号により振り分け、代理店の端末装置４に記録媒体の作成指示をネットワークを介して通信する。
【００３２】
代理店側の端末装置４では、サーバ装置２から送られてきた指示情報に従い、データベースサーバ２ｂに記憶された吹き替えメッセージ情報を取り込み、ＣＤ−ＲＯＭなどの記録媒体を製作し、これを受信者（送付先）に配送する。
【００３３】
なお、本発明は、上記実施形態に限定されるものではなく、本発明の範囲内で修正・変更を加えることができるのは勿論である。例えば、上記実施形態では、サーバ装置２から代理店側の端末装置を通じて吹き替えメッセージを配送するようにしたが、代理店側の端末装置を介することなく、直接受信者側の端末装置に送信するようにしてもよい。この場合、受信者もユーザＩＤ、パスワードを予め登録しておき、サーバ装置から受信者側の端末装置にアクセスし、音声吹き替えメッセージがあることを通知する。これに基づいて受信者側からサーバ装置に通信し、吹き替えメッセージを聴取することで、簡単かつ迅速に利用者のメッセージを聞くことができる。
【図面の簡単な説明】
【００３４】
【図１】本発明に係るメッセージ配送システムの概略を示すシステム構成図
【符号の説明】
【００３５】
１      利用者側の端末装置
２      サーバ装置
２ａ    Ｗｅｂサーバ
２ｂ    データベースサーバ
２ｃ    自動音声録音システム
３      吹替者（声の発信者）の端末装置
４      代理店の端末装置
５      受信者
【図１】
2005190357.tif 000003